【手続補正書】
【提出日】平成23年11月29日(2011.11.29)
【手続補正１】
【補正対象書類名】特許請求の範囲
【補正対象項目名】全文
【補正方法】変更
【補正の内容】
【特許請求の範囲】
【請求項１】
無線送受信装置（ＷＴＲＵ）において、
定振幅ゼロ自己相関（ＣＡＺＡＣ）シーケンスの位相のセットの中から、前記ＣＡＺＡＣシーケンスの位相を選択し、前記選択されたＣＡＺＡＣシーケンスの位相をサイクリックプレフィクスと結合し、前記結合された選択されたＣＡＺＡＣシーケンスの位相および前記サイクリックプレフィクスをランダムアクセスチャネル（ＲＡＣＨ）上で送信することによって、無線通信システムにアクセスするように構成された処理装置および関連付けられた送信装置を備え、  
前記処理装置および前記関連付けられた送信装置は、前記ＷＴＲＵが、前記選択されたＣＡＺＡＣシーケンスの位相が受信されたことの表示を共有チャネル上で受信していない条件で、前記ＲＡＣＨ上において、増加した送信電力レベルで、もう１つのサイクリックプレフィクスと結合された前記ＣＡＺＡＣシーケンスのもう1つの位相を送信するようにさらに構成され、
前記処理装置および前記関連付けられた送信装置は、前記ＷＴＲＵが、前記選択されたＣＡＺＡＣシーケンスの位相が受信されたことの表示を前記共有チャネル上で受信する条件で、前記表示とともに受信された時間アドバンスに応答して調整された送信タイミングで、アクセスメッセージデータとＣＡＺＡＣシーケンスから導き出された参照シンボルとを含む信号を送信するようにさらに構成されている
ことを特徴とするＷＴＲＵ。
【請求項２】
前記表示は、前記ＣＡＺＡＣシーケンスのどの位相が受信されたかを示すことを特徴とする請求項１に記載のＷＴＲＵ。
【請求項３】
前記処理装置および前記関連付けられた送信装置は、離散フーリエ変換（ＤＦＴ）に続く逆高速フーリエ変換を使用して、前記ＣＡＺＡＣシーケンスの前記選択された位相を処理するようさらに構成されていることを特徴とする請求項１に記載のＷＴＲＵ。
【請求項４】
前記送信された結合され選択されたＣＡＺＡＣシーケンスの位相および前記サイクリックプレフィクスは、複数のサブキャリア上を送信されることを特徴とする請求項１に記載のＷＴＲＵ。
【請求項５】
前記無線通信システムは、直交周波数分割多重（ＯＦＤＭ）を使用することを特徴とする請求項１に記載のＷＴＲＵ。
【請求項６】
前記通信システムは、直交周波数分割多重（ＯＦＤＭ）多入力多出力（ＭＩＭＯ）を使用することを特徴とする請求項１に記載のＷＴＲＵ。
【請求項７】
前記結合された選択されたＣＡＺＡＣシーケンスの位相および前記サイクリックプレフィクスの送信は、スロットの中で起こることを特徴とする請求項１に記載のＷＴＲＵ。
【請求項８】
前記ＣＡＺＡＣシーケンスの位相は、前記ＷＴＲＵが前記無線通信システムへ伝達したい情報に基づいて決定されることを特徴とする請求項１に記載のＷＴＲＵ。
【請求項９】
前記処理装置および前記関連付けられた送信装置は、前記ＣＡＺＡＣシーケンスの位相をランダムな方法で選択するよう構成されたことを特徴とする請求項１に記載のＷＴＲＵ。
【請求項１０】
前記選択されたＣＡＺＡＣシーケンスの位相が割り当てられることを特徴とする請求項１に記載のＷＴＲＵ。
【請求項１１】
前記処理装置および前記関連付けられた送信装置は、前記選択されたＣＡＺＡＣシーケンスの位相が、ランダムな方法で選択され、および、前記選択されたＣＡＺＡＣシーケンスの位相が割り当てられるよう構成されたことを特徴とする請求項１に記載のＷＴＲＵ。
【請求項１２】
前記処理装置は、前記結合された選択されたＣＡＺＡＣシーケンスの位相および前記サイクリックプレフィクスを送信するのに使用されるサブチャネルを示しているＲＡＣＨ割当て情報を受信するようさらに構成され、前記送信された結合された選択されたＣＡＺＡＣシーケンスの位相および前記サイクリックプレフィクスは、他のＷＴＲＵからのデータまたは制御信号と周波数多重化されることを特徴とする請求項１に記載のＷＴＲＵ。
【請求項１３】
前記処理装置は、前記アクセスメッセージを離散的フーリエ変換（ＤＦＴ）し、前記ＤＦＴの結果をサブキャリアにマッピングし、および、前記マッピングされたサブキャリアを逆フーリエ変換することによって、前記アクセスメッセージを処理するよう構成されたことを特徴とする請求項１に記載のＷＴＲＵ。
【請求項１４】
前記処理装置は、前記アクセスメッセージを離散的フーリエ変換（ＤＦＴ）し、前記ＤＦＴの結果をサブキャリアにマッピングし、および、前記マッピングされたサブキャリアを逆フーリエ変換することによって、前記選択されたＣＡＺＡＣシーケンスの位相を処理するよう構成されたことを特徴とする請求項１３に記載のＷＴＲＵ。
【請求項１５】
無線送受信装置（ＷＴＲＵ）において使用する方法において、
定振幅ゼロ自己相関（ＣＡＺＡＣ）シーケンスの位相のセットの中から、前記ＣＡＺＡＣシーケンスの位相を選択することによって、無線通信システムにアクセスするステップと、
前記選択されたＣＡＺＡＣシーケンスの位相をサイクリックプレフィクスと結合するステップと、
前記結合された選択されたＣＡＺＡＣシーケンスの位相および前記サイクリックプレフィクスをランダムアクセスチャネル（ＲＡＣＨ）上で送信するステップと、  
前記ＷＴＲＵが、前記選択されたＣＡＺＡＣシーケンスの位相が受信されたことの表示を共有チャネル上で受信していない条件で、前記ＲＡＣＨ上において、増加した送信電力レベルで、もう１つのサイクリックプレフィクスと結合された前記ＣＡＺＡＣシーケンスのもう１つの位相を送信するステップと、
前記ＷＴＲＵが、前記選択されたＣＡＺＡＣシーケンスの位相が受信されたことの表示を前記共有チャネル上で受信する条件で、前記表示とともに受信された時間アドバンスに応答して調整された送信タイミングで、アクセスメッセージデータとＣＡＺＡＣシーケンスから導き出された参照シンボルとを含む信号を送信するステップと
を備えることを特徴とする方法。
【請求項１６】
前記表示は、前記ＣＡＺＡＣシーケンスのどの位相が受信されたかを示すことを特徴とする請求項１５に記載の方法。
【請求項１７】
離散フーリエ変換（ＤＦＴ）に続く逆高速フーリエ変換を使用して、前記ＣＡＺＡＣシーケンスの前記選択された位相を処理するステップをさらに備えることを特徴とする請求項１５に記載の方法。
【請求項１８】
前記結合された選択されたＣＡＺＡＣシーケンスの位相および前記サイクリックプレフィクスを送信する前記ステップは、複数のサブキャリア上であることを特徴とする請求項１５に記載の方法。
【請求項１９】
前記無線通信システムは、直交周波数分割多重（ＯＦＤＭ）を使用することを特徴とする請求項１５に記載の方法。
【請求項２０】
前記無線通信システムは、直交周波数分割多重（ＯＦＤＭ）多入力多出力（ＭＩＭＯ）を使用することを特徴とする請求項１５に記載の方法。
【請求項２１】
前記結合された選択されたＣＡＺＡＣシーケンスの位相および前記サイクリックプレフィクスを送信する前記ステップは、スロットの中で起こることを特徴とする請求項１５に記載の方法。
【請求項２２】
前記ＣＡＺＡＣシーケンスの位相は、前記ＷＴＲＵが前記無線通信システムへ伝達したい情報に基づいて決定されることを特徴とする請求項１５に記載の方法。
【請求項２３】
前記ＣＡＺＡＣシーケンスの位相はランダムな方法で選択されることを特徴とする請求項１５に記載の方法。
【請求項２４】
前記ＷＴＲＵは、前記選択されたＣＡＺＡＣの位相が割り当てられることを特徴とする請求項１５に記載の方法。
【請求項２５】
前記選択されたＣＡＺＡＣシーケンスの位相がランダムな方法で選択され、および、前記選択されたＣＡＺＡＣシーケンスの位相が割り当てられることを特徴とする請求項１５に記載の方法。
【請求項２６】
前記結合された選択されたＣＡＺＡＣシーケンスの位相および前記サイクリックプレフィクスを送信するのに使用されるサブチャネルを示しているＲＡＣＨ割当て情報を受信するステップであって、前記送信された結合され選択されたＣＡＺＡＣシーケンスの位相および前記サイクリックプレフィクスが、他のＷＴＲＵからのデータまたは制御信号と周波数多重化される、受信するステップをさらに備えることを特徴とする請求項１５に記載の方法。
【請求項２７】
前記アクセスメッセージを離散的フーリエ変換（ＤＦＴ）し、前記ＤＦＴの結果をサブキャリアにマッピングし、および、前記マッピングされたサブキャリアを逆フーリエ変換することによって、前記アクセスメッセージを処理するステップをさらに備えることを特徴とする請求項１５に記載の方法。
【請求項２８】
前記アクセスメッセージを離散的フーリエ変換（ＤＦＴ）し、前記ＤＦＴの結果をサブキャリアにマッピングし、および、前記マッピングされたサブキャリアを逆フーリエ変換することによって、前記選択されたＣＡＺＡＣシーケンスの位相を処理するステップをさらに備えることを特徴とする請求項２７に記載の方法。